(57)【要約】      （修正有）【課題】任意の装着位置においてベルト通し等のループを形成することができる装飾具を提供する。【解決手段】装飾具１は、ベースプレート１０と、ベースプレートの互いに同一の面から突出する第１の針２１及び第２の針２２と、第１の針の先端及び第２の針の先端を被覆し、第１の針の先端と第２の針の先端とに架け渡される着脱自在な掛け渡し部３０と、を備える。【選択図】図１
0003215213.tif 000002
【実用新案登録請求の範囲】
【請求項１】
ベースプレートと、
前記ベースプレートの互いに同一の面から突出する第１の針及び第２の針と、
前記第１の針の先端及び前記第２の針の先端を被覆し、前記第１の針の前記先端と前記第２の針の前記先端とに架け渡される着脱自在な掛け渡し部と、
を備えることを特徴とする装飾具。
【請求項２】
前記ベースプレートと前記第１の針と前記第２の針と前記掛け渡し部とによって囲まれる領域にベルトが挿入されることを特徴とする請求項１記載の装飾具。
【考案の詳細な説明】
【技術分野】
【０００１】
本考案は、ベルトループ（ベルト通し）等のループを形成することができる装飾具に関する。
【背景技術】
【０００２】
従来、ベルト通しがない或いはベルト通しを使うことができないズボン又はスカートに装着される着脱式ベルト通しとして、下端に折り返し部が設けられた逆Ｌ字形の主体と、この主体に対してベルトの通る間隔をあけて設けられた取り付け板と、この取り付け板に設けられた挟着具と、を備える着脱式ベルト通しが提案されている（例えば、特許文献１参照）。
【先行技術文献】
【特許文献】
【０００３】
【特許文献１】特開平８−６０４１９号公報
【考案の概要】
【考案が解決しようとする課題】
【０００４】
しかしながら、上述の着脱式ベルト通しは、主体の下端に折り返し部が設けられていても、閉じられたループが形成されないため、主体と取り付け板との間からベルトが抜け落ち得る。
【０００５】
また、上述の着脱式ベルト通しは、挟着具によってズボン又はスカートである装着対象物の上端を挟着するものであるため、装着対象物の端部などに装着位置が制限される。
なお、装飾具においては、ベルト以外の物、例えばスカーフ、ストール等を通すためにもループを形成することが有効である。また、装飾具において、何も通さないループであっても、飾りとして形成することが考えられる。
【０００６】
本考案の目的は、任意の装着位置においてループを形成することができる装飾具を提供することである。
【課題を解決するための手段】
【０００７】
１つの観点では、装飾具は、ベースプレートと、前記ベースプレートの互いに同一の面から突出する第１の針及び第２の針と、前記第１の針の先端及び前記第２の針の先端を被覆し、前記第１の針の前記先端と前記第２の針の前記先端とに架け渡される着脱自在な掛け渡し部と、を備える。
【考案の効果】
【０００８】
本考案によれば、任意の装着位置において第１の針及び第２の針を装着対象物に刺し込むことで、ベースプレートと第１の針と第２の針と掛け渡し部とによって囲まれる領域にループを形成することができる。
【図面の簡単な説明】
【０００９】
【図１】本考案の一実施の形態に係る装飾具を示す斜視図である。
【図２】本考案の一実施の形態におけるベースプレート、第１の針、及び第２の針を示す斜視図である。
【図３】本考案の一実施の形態におけるベースプレート、第１の針、及び第２の針を示す（ａ）正面図、（ｂ）右側面図、及び（ｃ）平面図である。
【図４】本考案の一実施の形態の第１変形例に係る装飾具を示す斜視図である。
【図５】本考案の一実施の形態の第２変形例に係る装飾具を示す斜視図である。
【考案を実施するための形態】
【００１０】
以下、本考案の実施の形態に係る装飾具について、図面を参照しながら説明する。
図１は、装飾具１を示す斜視図である。
図２は、ベースプレート１０、第１の針２１、及び第２の針２２を示す斜視図である。
【００１１】
図３は、ベースプレート１０、第１の針２１、及び第２の針２２を示す（ａ）正面図、（ｂ）右側面図、及び（ｃ）平面図である。
図１に示すように、装飾具１は、ベースプレート１０と、第１の針２１と、第２の針２２と、掛け渡し部３０と、を備える。
【００１２】
ベースプレート１０は、角が丸まった四角形状を呈する。ベースプレート１０の形状は四角形状に限られないが、帯状などの細長い形状であることが望ましい。
図１〜図３に示すように、第１の針２１及び第２の針２２は、ベースプレート１０の互いに同一の面から突出する。第１の針２１及び第２の針２２は、ベースプレート１０のうち例えば長手方向の一端近傍と他端近傍とに設けられていることが望ましい。
【００１３】
なお、第１の針２１及び第２の針２２は、ベースプレート１０に固定されているが、ベースプレート１０と一体に成形されていてもよい。また、詳しくは後述するが、第１の針２１及び第２の針２２は、装着対象物の内側から装着対象物の外側へ向けて刺し込まれる。そのため、装着対象物が衣服である場合には、ベースプレート１０のうち第１の針２１及び第２の針２２が設けられた面とは反対側の面は、装着者の皮膚に接触する可能性がある。したがって、ベースプレート１０が金属製である場合には、金属アレルギーを有する装着者を想定して、ベースプレート１０のうち第１の針２１及び第２の針２２が設けられた面とは反対側の面は非金属材料で覆われていることが望ましい。
【００１４】
また、ベースプレート１０は、単一のプレートであるが、第１の針２１が設けられた第１のプレートと第２の針２２が設けられた第２のプレートとを有し、この２つのプレートが互いにスライドすることで第１の針２１と第２の針２２との間隔が調整可能であってもよい。
【００１５】
図３に示す、ベースプレート１０、第１の針２１、及び第２の針２２の寸法はあくまで一例にすぎないが、ベースプレート１０の長手方向の長さは５０ｍｍ、短手方向の長さは１０ｍｍ、厚さは１ｍｍである。また、第１の針２１及び第２の針２２は、ベースプレート１０の長手方向の両端から２ｍｍの間隔を隔てて設けられている。また、第１の針２１及び第２の針２２の長さは、１５ｍｍである。
【００１６】
掛け渡し部３０は、第１の針２１の先端及び第２の針２２の先端を被覆し、第１の針２１の先端と第２の針２２の先端とに架け渡される。掛け渡し部３０に挿抜可能に第１の針２１及び第２の針２２の先端が挿入されることで、掛け渡し部３０が着脱自在に装飾具１に配置される。
【００１７】
一例ではあるが、掛け渡し部３０は、装飾部３１と、チェーン３２と、第１の針受け部３３と、第２の針受け部３４と、を有する。
装飾部３１は、例えばチェーン３２の中央に着脱可能に取り付けられている。なお、装飾部３１が配置される位置は、チェーン３２の中央に限らず、第１の針２１の先端と第２の針２２の先端との間の一部又は全部であればよい。
【００１８】
チェーン３２は、第１の針受け部３３と第２の針受け部３４との間に架け渡されるように、一端が第１の針受け部３３に着脱可能に固定され、他端が第２の針受け部３４に着脱可能に固定されている。そのため、チェーン３２は、所望の形状のチェーン又は他の部材に適宜交換することが可能である。
【００１９】
第１の針受け部３３及び第２の針受け部３４は、第１の針２１又は第２の針２２の先端を被覆する。一例ではあるが、第１の針受け部３３及び第２の針受け部３４は、図１に示す球体部分及び筒部分と、第１の針２１の先端及び第２の針２２の先端が挿入されると、これらの先端を挟み込むようにロックする図示しないロック機構と、を有する。また、第１の針受け部３３及び第２の針受け部３４は、球体部分を筒部分から引き上げるようにつままれることで、ロック機構によるロックが解除される。但し、第１の針受け部３３及び第２の針受け部３４は、挿抜可能に第１の針２１又は第２の針２２の先端が挿入されるものであればよいため、例えば、第１の針２１又は第２の針２２の先端が圧入されるものなどであってもよい。
【００２０】
上述のように掛け渡し部３０が第１の針２１の先端と第２の針２２の先端とに架け渡されることで、ベースプレート１０と第１の針２１と第２の針２２と掛け渡し部３０とによって囲まれる領域にループが形成される。
【００２１】
装飾具１の用途は特に制限されないが、例えばベルトを通すためのベルトループとして用いられる。装飾具１が衣服等の装着対象物に装着される際には、まず、掛け渡し部３０が取り外された状態、すなわち図２及び図３に示す状態のベースプレート１０、第１の針２１、及び第２の針２２を用い、第１の針２１及び第２の針２２が装着対象物の内側から装着対象物の外側へ向けて刺し込まれる。そして、掛け渡し部３０の第１の針受け部３３及び第２の針受け部３４に第１の針２１及び第２の針２２が挿入される。そして、ベースプレート１０と第１の針２１と第２の針２２と掛け渡し部３０とによって形成される領域（ループ）にベルトが挿入される。これにより、ベルトループを有さない衣服等の装着対象物にもベルトを通すことが可能になる。
【００２２】
図４は、第１変形例に係る装飾具１−１を示す斜視図である。
本第１変形例では、掛け渡し部３０−１のチェーン３２には装飾部３１が取り付けられていない。このように、装飾具１−１は、装飾部３１を有さない掛け渡し部３０−１を備えていてもよい。
【００２３】
図５は、第２変形例に係る装飾具１−２を示す斜視図である。
本第２変形例では、チェーン３２に代えて棒状部３５が設けられている。このように第１の針受け部３３と第２の針受け部３４との間（第１の針２１の先端と第２の針２２の先端との間）に架け渡される部材は、チェーン３２に限られず、任意の部材とすることができる。
【００２４】
以上説明した本実施の形態では、装飾具１は、ベースプレート１０と、このベースプレート１０の互いに同一の面から突出する第１の針２１及び第２の針２２と、第１の針２１の先端及び第２の針２２の先端を被覆し、第１の針２１の先端と第２の針２２の先端とに架け渡される着脱自在な掛け渡し部３０と、を備える。よって、本実施の形態によれば、任意の装着位置において第１の針２１及び第２の針２２を装着対象物に刺し込むことで、ベースプレート１０と第１の針２１と第２の針２２と掛け渡し部３０とによって囲まれる領域にループを形成することができる。
【００２５】
また、本実施の形態では、ベースプレート１０と第１の針２１と第２の針２２と掛け渡し部３０とによって囲まれる領域（ループ）にベルトが挿入される。そのため、装飾具１によって、衣服やバッグなどの装着対象物にベルトを通すためのベルトループ（ベルト通し）を形成することができる。
【００２６】
また、本実施の形態では、掛け渡し部３０は、第１の針２１の先端と第２の針２２の先端との間に位置する装飾部３１を有する。そのため、例えば、第１の針２１及び第２の針２２が装飾具１の装着対象物の内側から装着対象物の外側へ向けて刺し込まれた際に、装着対象物の外側に露出する掛け渡し部３０において、装飾部３１によって装飾することができる。
【符号の説明】
【００２７】
１（１−１，１−２）      装飾具
１０      ベースプレート
２１      第１の針
２２      第２の針
３０（３０−１，３０−２）      掛け渡し部
３１      装飾部
３２      チェーン
３３      第１の針受け部
３４      第２の針受け部
３５      棒状部
【図１】
0003215213.tif 000003
【図２】
0003215213.tif 000004
【図３】
0003215213.tif 000005
【図４】
0003215213.tif 000006
【図５】
0003215213.tif 000007